(57)【特許請求の範囲】
【請求項１】
所与の建物において構造体表面（２３０）の所望の径間（２２４）にわたって光ファイバあるいはケーブル（５４、２０４）を配線するツール（５０）であって、
手前側端部にハンドルを有するロッドと、
配線されるべき光ファイバあるいはケーブル（５４、２０４）を貯留する、前記ロッドに取り付けられたリールあるいはスプール（５２、２０２）とを備え、前記スプールは、前記ファイバが前記所望の径間（２２４）にわたって配線されるときに前記貯留されたファイバが繰り出されあるいはほどかれるように配置され、さらに、
前記ファイバが前記スプールからほどかれるときに、前記ファイバに接着剤を供給する接着剤被覆用組立品（５６）と、
前記ロッドの遠方端に配されるファイバ配線用塗布器（６４）とを備え、前記塗布器は、表面（２３０）にわたって移動し、前記ファイバが前記表面に接着するように前記ファイバを前記表面に押し付けながら前記所望の径間にわたって前記接着剤とともに前記ファイバを配線するような寸法とされ配置される、ツール。
【請求項２】
前記接着剤被覆用組立品（５６）が接着剤塗布通路（５８）を含み、前記ファイバが前記通路を経て移動するように案内されるときに前記ファイバに塗布する所定量の接着物質を前記通路に供給するように前記組立品が構成され配置される、請求項１に記載のツール。
【請求項３】
所与の建物の構造体表面（２３０）に所望の径間（２２４）の光ファイバあるいはケーブル（５４、２０４）を配線するシステムであって、
配線されるべき光ファイバあるいはケーブル（５４、２０４）を貯留するファイバ貯留用スプール（２０２）を含むファイバ貯留用スプール組立品を備え、前記貯留用スプール組立品は、前記ファイバ貯留用スプールに固定するように配置される第一の光終端箱（２０６）を含み、前記終端箱（２０６）は、前記貯留用スプール（２０２）上に前記ファイバ（２０４）の第一の端部への接続のための手前側端部と、屋外ファイバあるいはケーブルとの接続のための遠方側端部とを有する光コネクタアダプタ（２１４）を有し、さらに、
光ファイバあるいはケーブル配線用ツール（５０）を備え、前記光ファイバあるいはケーブル配線用ツール（５０）は、
手前側端部に前記ハンドルを有するロッドと、
前記貯留用スプールに固定されるときに前記ファイバ貯留用スプール（２０２）と前記光終端箱（２０６）とを受け止め、かつ、前記ファイバ（２０４）が前記スプールからほどかれるあるいは繰り出されるときに前記貯留用スプールおよび前記終端箱を支える、前記ロッドに取り付けられた取り付け台（２２８）と、
前記ファイバが前記スプールからほどかれるときに、前記ファイバに接着剤を供給する接着剤被覆用組立品（５６）と、
前記ロッドの遠方端に配されるファイバ配線用塗布器（６４）とを含み、前記塗布器は、表面（２３０）にわたって移動し、前記ファイバが前記表面に接着するように前記ファイバを前記表面に押し付けながら前記所望の径間（２２４）にわたって前記接着剤とともに前記ファイバを配線するような寸法とされ配置される、システム。
【請求項４】
前記接着剤被覆用組立品（５６）が接着剤塗布通路（５８）を含み、前記ファイバが前記通路を経て移動するように案内されるときに前記ファイバに塗布する所定量の接着物質を前記通路に供給するように、前記組立品が構成され配置される、請求項３に記載のシステム。
【請求項５】
前記貯留用スプール組立品の前記第一の光終端箱（２０６）が、前記ファイバが前記構造体表面（２３０）上に配線される前記径間（２２４）の一端あるいはその近傍の第一の位置に固定されるように構成され配置される、請求項３に記載のシステム。
【請求項６】
前記ファイバ貯留用スプール組立品は、前記ファイバの第一の端部の反対側の前記貯留用スプール（２０２）上に前記ファイバ（２０４）の第二の端部への接続のための手前側端部と、屋外ファイバあるいはケーブルとの接続のための遠方側端部とを有する前記光コネクタアダプタ（２１４）を有する第二の終端箱（２０８）を含む、請求項５に記載のシステム。
【請求項７】
前記第二の光終端箱（２０８）が、前記ファイバが前記構造体表面（２３０）上に配線される前記径間（２２４）の反対側の端部あるいはその近傍の第二の位置に固定されるように構成され配置される、請求項６に記載のシステム。
【請求項８】
ファイバ貯留用スプール組立品であって、
構造体表面（２３０）の所望の径間（２２４）にわたって配線されるべき光ファイバあるいはケーブル（２０４）を貯留するファイバ貯留用スプール（２０２）と、
前記貯留用スプール（２０２）上の前記ファイバ（２０４）の対応する端部への接続のための手前側端部と、屋外ファイバあるいはケーブルとの接続のための遠方側端部とを有する前記コネクタアダプタ（２１４）をそれぞれ有する第一および第二の終端箱（２０６、２０８）とを備え、
前記終端箱（２０６、２０８）の一つあるいは両方が、前記ファイバ貯留用スプール（２０２）の対応する側面に取り外し可能に固定されるように構成され配置される、ファイバ貯留用スプール組立品。
【請求項９】
前記第一の光終端箱（２０６）が、前記ファイバが表面（２３０）上に配線される径間（２２４）の一端あるいはその近傍の第一の位置に固定されるように構成され配置される、請求項８に記載の組立品。
【請求項１０】
前記第二の光終端箱（２０８）と前記ファイバ貯留用スプール（２０２）とが、前記ファイバが表面（２３０）上に配線される前記径間（２２４）の反対側端部あるいはその近傍の第二の位置に固定されるように構成され配置される、請求項８に記載の組立品。
【発明の詳細な説明】
【技術分野】
【０００１】
本発明は顧客建物において所望の径間（ｓｐａｎ）にわたる光ファイバあるいはケーブルの設置に関する。
本出願は、２０１０年７月２０日に出願された米国仮特許出願第６１／３６５，９６３号および同第６１／３６５，９７０号、２０１０年８月９日に出願された同第６１／３７１，８２８号、並びに２０１１年１月７日に出願された米国特許出願第１２／９８６，９９０号についての優先権を主張し、参照のためにここに引用される。
【背景技術】
【０００２】
米国特許第７，２６６，２８３号明細書（２００７年９月４日）は、光ファイバの貯留および繰り出し装置について述べている。その特許された装置は、回転可能なスプールを内蔵するケースを含み、それには長短の光ファイバジャンパケーブルがスプールの対応する溝に巻かれている。ケーブルの両端はコネクタに結合されている。一方のジャンパケーブルは、ケーブルの一端において第一の接続を形成するためにケースからある長さ伸ばすことが出来る。次いで、他方のジャンパケーブルがケーブルの反対端で第二の接続を形成するためにスプールから手動でほどかれる。前記特許は、ジャンパケーブルが両端で接続されたら、ケースは取り外し可能に保持されるように磁気ストリップ（ｍａｇｎｅｔｉｃ  ｓｔｒｉｐ）によって接続箱の上に設置されてよい、と述べている（第５欄第３２行目ないし第３９行目参照）。
【０００３】
米国特許出願公開第２００８／０１８７２７６号明細書（２００８年８月７日）は、接着性の基材ストリップおよびそのストリップによって保持される少なくとも一本の光ファイバを含む柔軟な光ファイバテープについて開示している。前記特許によれば、前記ストリップはファイバに沿って屋内設備の壁、床、あるいは天井に接着されてよい。
【先行技術文献】
【特許文献】
【０００４】
【特許文献１】米国特許出願公開第２００８／０１８７２７６号明細書
【特許文献２】米国特許７，２６６，２８３号明細書
【特許文献３】米国特許７，２３５，６０８号明細書
【特許文献４】米国特許５，２９６，５３５号明細書
【特許文献５】米国特許４，７１９，２６４号明細書
【特許文献６】米国特許４，６３９，３９５号明細書
【特許文献７】米国特許４，５７５，５２５号明細書
【特許文献８】米国特許４，３２２，４７２号明細書
【特許文献９】米国特許３，９８８，４９５号明細書
【発明の概要】
【発明が解決しようとする課題】
【０００５】
知られている限りにおいて、施工者が、部屋あるいは事務所の壁、天井、あるいは他の目に見える構造体表面に、はしごを使うことなく表面からある距離離れたままで、光ファイバあるいはケーブルを配線できるツール、システム、あるいは技術は開示されていない。
【課題を解決するための手段】
【０００６】
本発明によれば、所与の建物の構造体表面の所望の径間（ｓｐａｎ）にわたって光ファイバあるいはケーブルを配線するツールは、ハンドルを有するロッドと、配線するためのファイバあるいはケーブルを貯留する、ロッドに取り付けられたリールあるいはスプールとを含む。ファイバが作業のためにスプールからほどかれるとき、ファイバに接着剤を供給するために接着剤塗布用組立品がロッドに固定され、ファイバ配線用塗布器がロッドの遠方端部に配される。配線用塗布器は、ファイバが表面に接着されるようにファイバを表面に押し付ける間に、所望の径間にわたってその上に接着剤でファイバを配線するために表面を移動するような寸法とされ配置される。
【０００７】
本発明のよりよい理解のために、以下の説明が付属の図面、および添付の請求の範囲とともに参照される。
【図面の簡単な説明】
【０００８】
【図１】本発明による光ファイバケーブル配線システムの第一の実施例を示す。
【図２】本発明の塗布ツールを含む光ファイバケーブル配線システムの第二の実施例を示す。
【図３】図２の塗布ツールで使われてもよい二つの光ファイバケーブル終端箱あるいは「ロゼット」の一つを示す。
【図４】光ファイバあるいはケーブル貯留用スプールの対応する側端のフランジ部に取り外し可能に固定された図３に示す二つの終端箱を描いている。
【図５】貯留用スプールから取り外された図４に示す終端箱の一つを示す。
【図６】露出した表面にファイバが配線され接着されるべき所望の経路の一端に固定される図５に示す終端箱を取り外した状態を示す。
【図７】塗布ツールを使って表面に配線されるファイバを示す。
【図８】経路の他端に配線されたファイバ、および経路の他端の表面に固定された他の終端箱、および貯留用スプールを示す。
【図９】ケーブル終端箱あるいはロゼットがオプションで取り付けられた光ファイバ、あるいはケーブル貯留用スプールを支持するマウントを含む図２に示される塗布ツールを示す。
【発明を実施するための形態】
【０００９】
本発明のシステムは、光ファイバあるいはケーブルを限られた数のハードウエアを用い、ほとんど形が見えないように所与の建物の居住部に関連する構造体表面（例えば、壁、あるいは天井）に沿って配線することを可能にする。特に明記しない限り、ここでは用語「光ファイバ」と「ケーブル」とは一本以上の光ファイバを意味するために言い換えて使われ、そのそれぞれは保護のために外側のケーブル外皮によって包まれる、あるいは包まれなくてもよい。さらに、ここで使われるように、用語「構造体表面」は、顧客の建物の所与の居住部（例えば、部屋あるいは事務所）に関連する壁、天井、あるいは床の目に見える、あるいは露出した表面を指して言う。
【００１０】
図１の手持ちツールガン装置１０は、一般的には、従来の機械式あるいは電気を動力とするコーキングガンと同じあるいは類似する構造を有する。また、装置１０は、光ファイバあるいはケーブル１４が巻かれるリールあるいはスプール１２を含む。スプール１２は、ガン装置１０の手前側の引き金端の近くに取り付けられ、ユーザの建物の壁、天井、あるいは他の構造体表面上を装置によって配線されている間に、ファイバ１４をスプールから繰り出す。ファイバ１４の反対側の端部は、終端されない、あるいは特定のコネクタによりその一端あるいは両端で終端されてもよい。コーキング材あるいは接着剤が入っている取替え可能なカートリッジ１６はガン装置１０に挿入するように配置される。作業のためにカートリッジ１６が装置に挿入されるとき、カートリッジ１６はガン装置１０の遠方の端部から突き出す塗布先１８を有する。
【００１１】
スプール１２は、スプールの一方の側面に着脱可能に取り付けられた光終端ユニットあるいは箱（「ロゼット」としても知られる）を備えてもよい。図５乃至９の実施例にあるロゼット２０８が取り付けられたファイバ貯留スプール２０２を参照のこと。そのような配置で、スプール１２およびロゼットは、ガン装置１０に取り付けられた架台あるいは台の上あるいは内部に取り付けられてよく、ファイバ１４が所望の径間上に装置１０によって配線されている間に、ファイバ１４がスプール１２から繰り出され、あるいはほどける。
【００１２】
ファイバ１４は、例えば、２５０μｍの光ファイバ裸線、９００μｍのタイトバッファファイバ、あるいは、アラミドヤーンおよび外側の外皮で覆われた９００μｍのバッファファイバで構成されるコードからなってもよい。スプール１２は、ガン装置１０に容易に取り付けるように、および、巻かれたファイバ１４が使い尽くされるときや異なるタイプのファイバあるいはケーブルを含む他のスプールが必要なときにすばやく取り外せるように、公知の方法により構成され配置されてよい。ファイバ１４がスプール１２から塗布先１８の方にほどけるときにファイバ１４を導くために、好ましくは、一つ以上のリングあるいはループ２０が、カートリッジ１６または装置本体の他の部分の長さ方向に沿って間隔をおいて固定される。
【００１３】
ガン装置１０の使用中、装置のカートリッジ１６からコーキング材あるいは接着剤２２とともに、ファイバ１４が、所望の径間にわたって構造体表面の上に配されるようにほどける、あるいは繰り出される。塗布先１８および案内リング２０は、接着剤２２がファイバ１４の上に流れてファイバを表面に留め、同時にファイバの歪を開放するような寸法とされ配置される。
【００１４】
カートリッジ１６は、商業的に入手可能なシリコンあるいはアクリルベースのコーキング材を包含し調合（ｄｉｓｐｅｎｓｅ）してよい。構造体表面（例えば、表面がリビングルームの天井あるいは石膏ボードの壁）の下にファイバあるいはケーブル１４を隠す必要があれば、その場で表面に溝あるいは細長いくぼみを形成するために、ガン装置１０の先端部分にカッターの刃を取り付けてもよい。これにより、塗布先１８からコーキング剤あるいは接着剤２２がファイバの上に塗布される前に、カットした細長いくぼみの中にファイバ１４を収めることを可能にする。
【００１５】
代替として、ファイバ１４にドライな接着剤をあらかじめ塗布してもよく、カートリッジ１６は、ファイバがカートリッジの塗布先１８の近くを通過するときにファイバ上の接着剤を活性化させるために、水あるいは他の液状物質を調合（ｄｉｓｐｅｎｓｅ）するように配することが可能である。荒い表面上に配線するために、ファイバ１４は、接着剤が浸み込み、液体がフォーム層の外側表面に塗布されるときに活性化する外側フォーム層を含んでもよい。液体によって活性化される接着剤は、例えば、米国特許第７，２３５，６０８号明細書（２００７年６月２６日）、同第５，２９６，５３５号明細書（１９９４年３月２２日）、同第４，７１９，２６４号明細書（１９８８年１月１２日）、同第４，６３９，３９５号明細書（１９８７年１月２７日）、同第４，５７５，５２５号明細書（１９８６年３月１１日）、同第４，３２２，４７２号明細書（１９８２年３月３０日）、および同第３，９８８，４９５号明細書（１９７６年１０月２６日）に開示され、それらのすべての関連部分が参照のために引用される。
【００１６】
図２は本発明の第二の実施例を示す。図２において、一般的に、塗布ツール５０は従来の釣竿と同じあるいは類似して構成される。一本のファイバがスプールに巻かれているリールあるいはスプール５２は、ツール５０の手前側のハンドル端部の近くの取り付け部５３に配置される。取り付け部５３は、図９の取り付け部２２８と同一あるいは類似するものであってよく、ファイバが所望の径間にわたってツール５０によって配線されている間に、ファイバ５４がスプール５２からほどける、あるいは繰り出される。ファイバ５４の反対側の端部は、終端されない、あるいは特定のコネクタにより一端あるいは両端で終端されてよい。
【００１７】
図２のツール５０の利点は、施工者が、はしごを使用、あるいはさらに助手、あるいは人を必要とせずに、離れた場所に立って、高い天井あるいは他の場所に沿ってスプールに巻かれたファイバ５４を配線することを可能にすることである。ファイバがスプール５２からほどかれるときにツール５０の遠方の端部５７に向けてファイバ５４を安全に案内するために、好ましくは一つ以上のリング、ループ、管、溝、あるいは同等の案内要素６２がツール５０のロッドの長さ方向に沿って固定される。
【００１８】
関連する接着剤塗布管あるいは通路５８および接着剤カートリッジ６０を含む接着剤被覆用組立品５６が、スプール５２の下流側で塗布具５０に取り付けられる。ファイバ５４は、スプール５２から離れた後、通路５８を通り抜けるように案内される。組立品５６は、ファイバ５４が通路を通って移動するときに、所定量の接着性物質をカートリッジ６０から通路５８の内側に供給するように作用し、接着剤の薄い被覆がファイバ５４の外側表面に塗布される。
【００１９】
代替として、図１の実施例に関連して上に述べられたように、ファイバ５４はドライな接着剤であらかじめ塗布されてもよく、組立品５６は、ファイバが塗布器通路５８移動するときに、ファイバ上の被覆を活性化させるために所定量の水あるいは他の液状物質を供給するように組立品５６を構成してもよい。ドライ接着剤の処方は、活性化されたときにファイバ５４の外側表面とファイバが配線される構造体表面との間で十分な接着を達成するように選択されるべきである。また、ドライ接着剤は、例えばＰＶＣ、ナイロン、ウレタン、アクリル、あるいは、その他、ファイバ上にすでにある被覆と作用するように処方されてもよい。すべてのプロセスの支援は、構造体表面、あるいはファイバが隠される細長いくぼみあるいは溝内へのファイバの接着を最適化するように選択されるべきである。
【００２０】
被覆されたファイバ５４を構造体表面に正確に施工者が位置決めすることを助け、ファイバが所望の径間にわたって表面に適切に接合するように表面に対してファイバを押し付けるために、好ましくは、塗布ツール５０はツールの遠方の端部５７に配される小さな車輪、ローラ、あるいは他のファイバ配線塗布具６４を有する。さらに、施工者がツールを表面からある距離離して保持し且つ立って構造体表面の所望の径間にわたりファイバを配線できるように、ハンドルと遠方の端部５７との間のツール５０の部分は、短縮あるいは伸張可能に作られてよい。一般的に使われている外角コーナーガイドを用いてファイバ５４に対して所望の、例えば７ｍｍの最小曲げ半径が保持されてよい。
【００２１】
本発明の第三の実施例に従うと、従来の接着剤転写テープ供給器に、接着剤テープの供給を含むリールあるいはスプールが載せられる。テープがスプールに巻かれる前に、テープのいずれかの側にテープの長さ方向に沿って光ファイバあるいはケーブルが接着される。代替として、供給器はふたつの異なるスプールから別々かつ同時に接着テープとファイバを繰り出すように構成され配置されてもよい。そして、テープが表面に接着されるときにテープがファイバの上に重なるように、構造体表面近くでお互いに近づくようにテープとファイバがスプールから案内されてよい。例えば３Ｍ（登録商標）社のモデルＡＴＧ−７００、−７１４、あるいは−７５２、あるいはＵＬＩＮＥ（登録商標）のモデルＨ−１２２１などの複式スプールテープディスペンサが現在入手可能で、既知の方法によって修正されてよい。
【００２２】
いずれの配置も、テープおよび下側のファイバがディスペンサによって壁、天井、あるいは他の構造体表面に張られると、ファイバは、家庭あるいは事務所の環境に配線された後、ファイバを安全に取り外すことを妨げるコーキングあるいは接着物質に埋め込まれないという利点を有する。接着剤テープのグレードは、ファイバ設置に求められる耐久度に応じて選択されてよい。
【００２３】
図３乃至９はファイバあるいはケーブル配線システム２００を示し、図２の塗布ツール５０は、例えば約７５から１００フィートの光ファイバあるいはケーブル２０４、およびそれぞれがスプール２０２の対応する側壁あるいはフランジ２０２ａ、２０２ｂに着脱可能に固定される一対の光終端ユニットあるいは箱２０６、２０８（時には「ロゼット」と呼ばれる）を含むファイバ貯留スプール２０２とともに作動するように適合されてよい。ファイバあるいはケーブル２０４は、例えば、単心の９００μｍファイバ、１．２ｍｍコード、あるいは光ファイバ束、あるいはリボンからなり、これに限らないが、ケーブルの一端あるいは両端に付けられるＳＣ、ＬＣ、あるいはＭＰＯ型などのコネクタを有してよい。代表的な用途に対して、ＯＦＳ  Ｆｉｔｅｌ，ＬＬＣから入手可能なＥＺ−Ｂｅｎｄなどのファイバが好ましい。ＥＺ−Ｂｅｎｄは、家庭あるいは集合住宅（ＭＤＵ）において銅線のような設置を許容できる超曲げ不感受性ファイバである。ファイバは、５ｍｍあるいはそれ以下の半径での一回転曲げに対して、１５５０ｎｍにおいて０．１ｄＢ（標準的には０．０６ｄＢ）よりも小さいマクロ曲げ損失を示す。
【００２４】
光終端箱２０６、２０８は、例えばＯＦＳ  Ｆｉｔｅｌ，ＬＬＣのＪ４２４型あるいはＪ４１８型などの商業的に入手可能なユニットであってよい。終端箱２０６、２０８のひとつが上面のカバー板２１２を外した状態で図３に示されている。それぞれの箱は、一般にＰＶＣなどのプラスチック材料で成型され、図３に示すように標準的な光コネクタアダプタ２１４を含む。例えば、入来するプロバイダあるいはドロップケーブル、またはセットトップボックス、通信モデム等のユーザ側の装置へのケーブルの一端の結合コネクタとの接続のために、アダプタ２１４の遠方の端部が箱の外側からアクセスできるように、アダプタ２１４が箱の中に取り付けられる。スプールに巻かれたファイバ２０４の対応する端部を終端するコネクタ２２０と接続するために、アダプタ２１４の手前側の端部２１８に箱２０６の内部でアクセスできる。図３に見られるように、ファイバ２０４の端部が下部の小部屋あるいは箱２０６の他の領域に入り、最小曲げ半径を維持し、ファイバの歪を開放するために円形経路の一部あるいは全周にわたって案内されてよい。
【００２５】
ファイバ貯留用スプール２０２および終端箱あるいはロゼット２０６、２０８は、施工者が以下のことだけを実行すればよいように、工場環境で作られ、組み立てられてよい。
【００２６】
１．ファイバ貯留用スプール２０２から終端箱（例えば、箱２０６）の一つを外し、ファイバ２０４が構造体表面２３０に配線されるべき径間２２４の一端あるいはその近傍の第一の場所に（ねじ、あるいは他の固定具により）箱を取り付ける。図６および８を参照のこと。
【００２７】
２．塗布ツール５０の対応する取り付け部あるいは受け台２２８の中に取り付けられたファイバ貯留用スプール２０２を他の終端箱２０８に載せる。図９を参照のこと。好ましくは、取り付け部２２８は、ファイバ２０４がスプールからほどかれるときに箱２０８とスプール２０２が共通のスプール軸の周りを回転できるように公知の方法で組み立てられる。代替として、かつ、一般的なスピニング型釣竿の構造と同じように、取り付け部２２８は、スプール２０２および箱２０８を固定位置に保持し、配線中にファイバがスプールから出て行くときにスプール軸の周りに回転するようにファイバ２０４を案内するように配置してもよい。
【００２８】
３．塗布ツール５０を用いて構造体表面２３０の所望の経路２２４にわたってファイバ２０４を配線する。図７および８を参照のこと。
【００２９】
４．他の終端箱２０８および残りのファイバ２０４を含む貯留用スプール２０２を塗布ツール取り付け部２２８から取り外し、ファイバが表面２３０に配線された径間２２４の反対側の端部あるいはその近傍の第二の場所に箱およびスプールを添える（または取り付ける）。図８を参照のこと。
【００３０】
ここに開示されるように、限られた量の機材を用い、かつ表面に見苦しいマークをつけることを避けるための最小のフォームファクタで、光ファイバあるいはケーブルが居室あるいは事務所の構造体表面の所望の径間に配線される。適切な接着剤を選択することにより、ファイバは住宅および商業用居住部に一般的に見られるほとんどの表面、つまり壁紙、石膏ボード、塗装された表面、およびセメント、石、および大理石のような、より耐久性のある表面の内部に接着あるいは隠すことが出来る。
【００３１】
これまでに述べたことは本発明の好ましい実施例を示しているが、本発明の精神、および範囲から逸脱することなく、いろいろな修正および変形がなされてよく、かつ本発明は以下の請求の範囲内であるすべての修正、および変形を含むことが当業者には理解されるであろう。
【符号の説明】
【００３２】
１０                    ガン装置
１２、５２、２０２      リール、あるいはスプール
１４、５４、２０４      光ファイバ、あるいはケーブル
１６、６０              カートリッジ
１８                    塗布先（チップ）
２０                    案内リングあるいはループ
２２                    コーキング剤あるいは接着剤
５０                    塗布ツール
５３、２２８            取り付け部
５６                    接着時被覆用組立品
５７、２１６            遠方側の端部
５８                    通路
６２                    案内要素
６４                    塗布具
２００                  配線システム
２０２                  ファイバ貯留用スプール
２０２ａ、２０２ｂ      スプールフランジ
２０６、２０８          光終端ユニット（箱）あるいはロゼット
２１２                  カバー板
２１４                  光コネクタアダプタ
２１８                  手前側の端部
２２０                  コネクタ
２２４                  径間（スパン）
２３０                  構造体表面
【図１】
0005258936.tif 000002
【図２】
0005258936.tif 000003
【図３】
0005258936.tif 000004
【図４】
0005258936.tif 000005
【図５】
0005258936.tif 000006
【図６】
0005258936.tif 000007
【図７】
0005258936.tif 000008
【図８】
0005258936.tif 000009
【図９】
0005258936.tif 000010